(57)【特許請求の範囲】
【請求項１】
太陽電池モジュールからの直流電力を変換して三相交流電力を生成する電力変換装置を備え、商用電力系統電源に連系させるパワーコンディショナにおいて、
前記三相交流電力の電圧を昇圧するＹ結線の単巻変圧器と、Δ結線のフィルタコンデンサを備え、
前記単巻変圧器と前記フィルタコンデンサとで高調波成分を除去するフィルタ回路を構成したことを特徴とするパワーコンディショナ。
【請求項２】
請求項１記載のパワーコンディショナにおいて、
前記単巻変圧器は、漏れインダクタンスを５％以上としたことを特徴とするパワーコンディショナ。
【請求項３】
請求項１記載のパワーコンディショナにおいて、
前記単巻変圧器の変圧比を、２００：１５０〜１３０としたことを特徴とするパワーコンディショナ。
【請求項４】
太陽電池モジュールからの直流電力を変換して三相交流電力を生成し、前記太陽電池モジュールの電力を商用電力系統電源に連系させるパワーコンディショナにおいて、
前記太陽電池モジュールに接続され、直流電力を三相交流電力に変換するインバータと、
Ｙ結線の単巻変圧器とΔ結線のフィルタコンデンサにより構成される、高調波成分を除去するフィルタ回路を備えることを特徴とするパワーコンディショナ。
【請求項５】
太陽電池モジュールからの直流電力を変換して三相交流電力を生成し、前記太陽電池モジュールの電力を商用電力系統電源に連系させるパワーコンディショナにおいて、
前記太陽電池モジュールに接続され、直流電力を三相交流電力に変換するインバータと、
Ｙ結線の単巻変圧器とΔ結線のフィルタコンデンサ及びフィルタリアクトルにより構成される、高調波成分を除去するフィルタ回路を備えることを特徴とするパワーコンディショナ。
【発明の詳細な説明】
【技術分野】
【０００１】
本発明は、太陽電池モジュールが発電した直流電力を業務用又は家庭用に利用できるように交流電力に変換する機器であるパワーコンディショナに関する。
【背景技術】
【０００２】
近年、地球温暖化防止に向けたＣＯ２削減の国際的な取組みなど環境保全意識の高まりを背景に、太陽光発電システムの普及が拡大しつつある。
この太陽光発電システムにおいて、太陽の光エネルギーは太陽電池モジュールによって直流電力に変換され、この直流電力がパワーコンディショナによって交流電力に変換され、電源系統に接続され売電可能となる。
【０００３】
具体的には、パワーコンディショナにおいては、太陽電池モジュールの出力を受けてこれを所定の交流に変換するインバータを備え、インバータの出力を変圧器により系統電圧に変換し、電源系統と接続される。
【０００４】
パワーコンディショナの構成としては、特許文献１（特開２０１０−２７３４８９号公報）がある。
特許文献１は、パワーコンディショナにおいて、インバータ、フィルタ、制御回路、変圧器からなり、太陽電池モジュールから出力される電圧は、日射強度により増減するため、パワーコンディショナは直流電圧が増減したとしても、所定以上の交流電力を出力しなければならない。太陽電池モジュールから出力される電圧が低下すると、インバータは一定以上の交流電圧を出力できなくなる。そこで、インバータの出力電力を変圧器により昇圧し、インバータ出力電圧を低減することで、出力可能な直流電圧の範囲を広げている。
また、特許文献１に記載されたパワーコンディショナは、低損失を実現するため、変圧器の鉄心を低損失のアモルファス鉄心を用いたアモルファス変圧器を用いた構成としている。
【０００５】
また、特許文献２（特開２００７−６８２４７号公報）には、インバータに入力される直流電圧の運転範囲を広げたものが記載され、交流交流直接変換装置は、単巻変圧器で電源電圧を昇圧し最大出力電圧を増加させている。単巻変圧器の漏れインダクタンスを入力フィルタリアクトルとして利用することで回路の簡略化を図っている。
【先行技術文献】
【特許文献】
【０００６】
【特許文献１】特開２０１０−２７３４８９号公報
【特許文献２】特開２００７−６８２４７号公報
【発明の概要】
【発明が解決しようとする課題】
【０００７】
太陽光発電用パワーコンディショナは、太陽光電池モジュールの直流電圧に対し、変動範囲を幅広くする必要がある。従来技術では、直流部に昇圧チョッパ装置を用いるか、変圧器の２次タップ電圧を低くすることで直流電圧の変動範囲を拡大してきた。昇圧変圧器を使用する場合は図６に示すような構成となる。パワーコンディショナ２には昇圧用変圧器３、フィルタリアクトル４、インバータ５、フィルタコンデンサ６が納められる。太陽光パネル７と接続され、太陽光パネルで発電された直流電力をインバータ５で三相交流に変換し、フィルタリアクトル４とフィルタコンデンサ６で構成されるフィルタ回路による高調波分をカットし、昇圧用変圧器３で系統電圧に変換し、電源系統１と接続される。
すなわち、図６の構成は、太陽光パネル７の直流電力に平滑コンデンサＣ１，Ｃ２を並列に接続し、パワートランジスタＥ１とＥ２を直列に、また、パワートランジスタＥ３とＥ４を直列に、パワートランジスタＥ５とＥ６を直列に接続し、それぞれ直列に接続したパワートランジスタを並列に太陽光パネル７に出力に接続する。そして、パワートランジスタＥ１とＥ２を接続した箇所より三相のうちの一相を取り出し、パワートランジスタＥ３とＥ４を接続した箇所より三相のうちの一相を取り出し、パワートランジスタＥ５とＥ６を接続した箇所より三相のうちの一相を取り出す。この平滑コンデンサとパワートランジスタで構成された部分がインバータ５で、直流電力を三相交流電力に変換するものである。
三相交流に変換された電力は、フィルタリアクトル４‘に直列に接続され、フィルタコンデンサ６が並列に接続され、さらに、フィルタリアクトル４を直列に接続する。これらのフィルタリアクトル４’、フィルタコンデンサ６及びフィルタリアクトル４で構成したフィルタ回路により三相交流電力に重畳されている高調波成分を除去している。さらに、フィルタ回路を通過した電力は昇圧用変圧器３を介して、電圧を昇圧して所定以上の交流電力を得る。そして、電源系統１に接続する。
【０００８】
昇圧用変圧器３の変圧比を大きくとれば、インバータから出力させる交流電力は高電流となり損失の増大や変圧器の大形化を招く。例えば変圧比を２００：１９０とした場合は直流電圧３３０Ｖ以上から交流電力を出力できるが、変圧比を２００：１５０とした場合は２６０Ｖ以上となり、大幅に直流電圧範囲が広がる。しかし交流部の電流は約１．３倍となり、巻線抵抗を同じとした場合は損失が１．７倍となり損失の増大につながる。
【０００９】
昇圧チョッパ装置を採用した場合、パーツ数増加により原価が上昇する。また使用機器が増加することにより、損失が増大し、効率の低下を招く。
【００１０】
特許文献２記載の交流交流直接変換装置のように、単巻変圧器の漏れインダクタンスをフィルタリアクトルとして利用する場合には、単巻変圧器はＹ-Ｙ結線となる。この場合、変圧器の励磁電流により中性点が変動し、対地電位と中性点の電位がずれ、機器の停止や破壊につながる恐れがある。通常の場合、変圧器の一次もしくは二次巻線をΔ結線とすることで、３次高調波を巻線内で打ち消しあわせ、中性点電位と対地電位がずれないようにしている。
【００１１】
また特許文献２には変圧比を１：０．８５になるようにする記載があるが、直流入力電圧を拡大するためには変圧比はより大きくとる必要がある。変圧比が１：０．８５では、系統の電位が２００Ｖの場合、インバータの交流出力は１７０Ｖとなり、直流入力電圧の下限は３００Ｖ程度以上となる。
【００１２】
一般的に太陽光パネルを組み合わせると、気温や日射の変化により、直流電圧は２５０Ｖから６００Ｖほど度まで変動する。より効率的な発電をする場合、パワーコンディショナの運転範囲を２５０Ｖから６００Ｖまでとする必要がある。
【課題を解決するための手段】
【００１３】
本発明では、系統と連系する際に必要となるフィルタの一部であるリアクトルに単巻変圧器の機能を付与し、Δ結線としたフィルタコンデンサを使用する。
【００１４】
フィルタコンデンサは相間電位を減少できるため、Ｙ結線を用いることが多い。
Ｙ結線では相間電位がΔ結線の１／（√３）となる。
【００１５】
単巻変圧器を使用することで、直流電圧範囲の拡大を図りつつ、機器の大形化を避ける。単巻変圧器はＹ-Ｙ結線となるので変圧器の励磁電流による３次高調波により中性点が変動する。通常では単巻変圧器に３次巻線を追加し、３次高調波を打ち消す必要がある。しかし３次巻線を追加することで変圧器が大形化し、機器の大形化を招く。
【００１６】
しかしフィルタコンデンサをΔ結線とすることで、３次高調波が循環でき、影響を無くすことが出来る。したがって単巻変圧器の３次巻線が不要となる。フィルタリアクトルと変圧器を一体化できるため、パーツ数が減少するため、機器の小型化、高効率化を図ることができる。
【発明の効果】
【００１７】
本発明では単巻変圧器を使用し、太陽光電池直流入力電圧の変動範囲拡大が行えつつ、機器の大形化を避けることができ、小型化、低損失化、低コスト化が可能となる。
【図面の簡単な説明】
【００１８】
【図１】本発明のパワーコンディショナを用いた回路構成図を示す。
【図２】パワーコンディショナの回路内の波形図を示す。
【図３】パワーコンディショナに用いる単巻変圧器の構成を示す。
【図４】別の実施例のパワーコンディショナの回路図を示す。
【図５】さらに別の実施例のパワーコンディショナの回路図を示す。
【図６】従来のパワーコンディショナの回路図を示す。
【発明を実施するための形態】
【００１９】
以下、本発明の実施の形態を図面を用いて説明する。
（実施例１）
本発明のパワーコンディショナの構成図を図１に示す。
【００２０】
図１において、１は電源系統、２はパワーコンディショナ、７は太陽光パネル、８は単巻変圧器、４’はフィルタリアクトル、５はインバータ、６はフィルタコンデンサである。
【００２１】
パワーコンディショナ２は、点線で囲んだ部分で構成され、太陽光パネル７に接続されるインバータ５と、インバータ５で直流から交流に変換された電力で高周波成分を除去するフィルタ回路を構成するフィルタリアクトル４及びフィルタコンデンサ６と、電力の電圧を昇圧する単巻変圧器８とより構成される。
また、パワーコンディショナ２は、系統電圧に変換され、電源系統１と接続される。
【００２２】
インバータ５は、直流電圧を交流電圧に変換するものである。その回路構成は、太陽光パネル７の直流出力は平滑コンデンサに並列に接続され、さらにスイッチング素子Ｅ１〜Ｅ６に接続され、三相交流に変換する構成を示している。
インバータ５は、三相の各相（Ｕ相、Ｖ相、Ｗ相の３相）のそれぞれについて、一対のスイッチング素子、具体的にはＵ相用上アーム素子Ｅ１とＵ相用下アーム素子Ｅ２、Ｖ相用上アーム素子Ｅ３とＶ相用下アーム素子Ｅ４、並びにＷ相用上アーム素子Ｅ５とＷ相用下アーム素子Ｅ６を備えている。
また、これらのスイッチング素子Ｅ１〜Ｅ６は、パワートランジスタであるＩＧＢＴ（Ｉｎｓｕｌａｔｅｄ  Ｇａｔｅ  Ｂｉｐｏｌａｒ  Ｔｒａｎｓｉｓｔｏｒ）、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）等を用いる。
各相用の上アーム素子Ｅ１，Ｅ３，Ｅ５のエミッタと下アーム素子Ｅ２，Ｅ４，Ｅ６のコレクタとが各相のフィルタリアクトルにそれぞれ接続される。
各相用の上アーム素子Ｅ１，Ｅ３、Ｅ５のコレクタは、太陽光パネル７の正端子側線に接続され、各相用の下アーム素子Ｅ２，Ｅ４，Ｅ６のエミッタは、太陽光パネル７の負端子側線に接続される。
スイッチング素子Ｅ１〜Ｅ６のそれぞれは、制御装置（不図示）から出力されるスイッチング制御信号によりオン／オフ動作を行い、三相交流に変換する。
インバータ５を通過した各相の電力信号は、高調波信号を除去し、昇圧を行う回路に接続する。
この高調波信号を除去し昇圧するフィルタ回路及び昇圧回路は、図１に示したようにフィルタリアクトル４、フィルタコンデンサ６、及び単巻変圧器８により構成する。
高調波信号を除去するフィルタ回路は、インバータ５でのキャリア周波数である高調波信号が重畳されているためこの高調波信号を除去し、電源周波数（５０／６０Ｈｚ）の電力信号を通過させるローパスフィルタ回路である。
また、このローパスフィルタ回路は、インダクタンス（Ｌ）とコンデンサ（Ｃ）とを組み合わせたパッシブフィルタを採用している。
【００２３】
ここで、図１に示したパワーコンディショナの回路構成において、インバータ後のＡ点の信号波形、フィルタコンデンサ後のＢ点の信号波形、単巻変圧器後のＣ点の信号波形を図２に示す。図２において、図２（ａ）はＡ点の信号波形で、図２（ｂ）はＢ点の信号波形で、図２（ｃ）はＣ点の信号波形である。
図２（ａ）は、インバータ５で直流電圧を交流電圧に変換したディジタル波形で、幅が異なるＰＷＭ信号波形である。このディジタル信号がフィルタリアクトル４‘及びフィルタコンデンサ６を通過した信号が図２（ｂ）に示した波形である。図２（ｂ）の波形信号は、ディジタル信号から電源周波数の交流のアナログ信号となっており、またキャリア周波数の信号が重畳された信号となる。
図２（ｂ）の波形信号が単巻変圧器を通過すると、電圧は昇圧されて大きくなり、かつ高調波信号も単巻変圧器で構成されたフィルタ回路で除去される図２（ｃ）に示した信号波形となる。
【００２４】
フィルタ回路及昇圧回路を通過した三相電力信号は、電源系統１に接続される。そして、電源系統１では使用したり売電したりすることができる。
【００２５】
単巻変圧器８は、漏れインダクタンスを５％以上とし、フィルタコンデンサ６とフィルタリアクトル４‘とでフィルタ回路を構成し、高調波成分を除去する。
また、単巻変圧器８は、変圧比を２００：１５０〜１３０とすることにより入力される直流電圧は２２０〜２６０Ｖ程度まで対応可能となる。  
フィルタコンデンサ６はΔ結線とする。 
単巻変圧器８は、Ｙ結線となるため励磁電流による３次高調波で中性点が変動し、不平衡電圧が生じ、上下アーム間の不平衡や三相交流電圧を生じ、運転停止や機器の故障につながる可能性がある。
そのため、一般的には単巻変圧器８に３次巻線を加え、Δ結線とすることが多い。
【００２６】
３次巻線を加えるため単巻変圧器は大形化し、鉄心や巻線が巨大化となるため損失も増大する。
本実施例では、フィルタコンデンサ６をΔ結線とするため、単巻変圧器に３次巻線がなくても３次高調波成分を打ち消し合う回路を構成した。
単巻変圧器の励磁電流より３次高調波が発生するが、フィルタコンデンサ６のΔ結線で打ち消し合い、３次高調波の影響をなくすことができる。
【００２７】
従来の図６に示した通常のパワーコンディショナ２は、１００ＫＷにおける損失は、昇圧用変圧器３で２０００Ｗ程度、フィルタリアクトル４で１０００Ｗ程度となり、パワーコンディショナ２として、約３％程度の損失となる。
さらに、直流の入力電圧範囲を拡大するため、変圧比を２００：１９０から２００：１５０に変更した場合、定格電流は３０４Ａから３８５Ａとなり、約１．３倍に増加する。
また、巻線の損失は電流の２乗に比例するので、損失は約１．７倍程度となる。
【００２８】
本発明の実施例１では、昇圧用変圧器３を削除し、フィルタリアクトル４を単巻変圧器８に変更している。
そして、単巻変圧器８の漏れインダクタンスを増大させ、５％以上のインピーダンスを実現している。漏れインダクタンスを増大させることでフィルタリアクトルとしての機能を付与することができる。
【００２９】
単巻変圧器８の漏れインダクタンスについて図３に示した構成図を用いて説明する。
【００３０】
図３（ａ）は、単巻変圧器の斜視図を示し、図３（ｂ）は正面図で、一部鉄心及び導体部を切り欠いた部分を示し、図３（ｃ）は断面図を示す。
図３の単巻変圧器において、９は鉄心、１０は一次端子、１１は二次端子、１２は鉄心に設けたギャップ、１３は導体（コイル）、１４は変圧器鉄心を固定する固定金具、１５は鉄心上側を固定する固定金具である。
【００３１】
一般に、単巻変圧器の漏れインダクタンスは、図３（ｂ）に示したように鉄心にギャップを設けたり、巻線と鉄心の隙間を調整することで制御できる。
図３において、単巻変圧器８は、鉄心９の周囲に導体１３を巻回し、タップ電圧を決定するように一次端子１０及び二次端子１１を取り出している。
漏れインダクタンスを増大させるため、鉄心９と導体１３には、所定の空間を確保し、さらに鉄心９にはギャップ１２を設けている。これらは、磁気を漏らす効果となり、インピーダンスを増大させ、単巻変圧器として以外にフィルタリアクトルとしての機能を付与することができる。また、単巻変圧器８の鉄心９や導体１３は、フィルタリアクトル４と同等の大きさとなる。
【００３２】
従って、損失はフィルタリアクトルと同程度となり、２０００Ｗ程度低減できる。機器質量においても、昇圧用変圧器３の約５００Ｋｇ軽減でき、軽量化、小型化が可能となる。
また、実施例１では、単巻変圧器の変圧比を２００：１５０とすると、系統が２００Ｖで、インバータの出力電圧は１５０Ｖとなる。
その場合、運転可能な直流電圧は２５０Ｖ以上となり、パワーコンディショナの直流運転の電圧範囲は２５０Ｖ〜６００Ｖとなる。
さらに、損失が低減するということは発熱が低減するということを意味し、発熱が低減するため冷却ファン（不図示）についても削減可能となる。
【００３３】
以上、説明したように本発明は、直流電圧範囲が広く、高効率で小型化を実現できるパワーコンディショナを提供可能となる。
（実施例２）
次に、本発明のパワーコンディショナの実施例２について、図４を用いて説明する。
【００３４】
図４は、太陽光パネル７の直流電圧をインバータ５を介して三相の交流電圧に変換し、変換した交流電圧を単巻変圧器８により昇圧し、単巻変圧器８に接続したフィルタコンデンサ６及びフィルタリアクトル４とによりフィルタ回路を構成し、このフィルタ回路により高調波を除去する構成である。
【００３５】
図４の構成で、図１の構成と異なる点は、単巻変圧器８をインバータ５の直後に設置した点で、単巻変圧器８には並列にフィルタコンデンサ６を接続し、さらに単巻変圧器８に直列にフィルタリアクトル４を接続している。フィルタコンデンサ４はΔ結線である。そして、三相のフィルタリアクトル４は、電源系統１に接続される。
【００３６】
単巻変圧器８は、漏れインダクタンスを５％以上とし、フィルタコンデンサ６とフィルタ回路を構成し、高調波分をカットする。単巻変圧器は200：150〜130とすることで、入力される直流電圧は２２０〜２６０ほど度まで対応可能となる。またフィルタコンデンサ６はΔ結線とする。単巻変圧器８はＹ結線となるため、励磁電流による３次高調波で中性点が変動し、不平衡電圧が生じ、上下アーム間の不平衡や三相交流電圧の不平衡を生じ、運転停止や機器破壊につながる可能性がある。そのため、一般的には単巻変圧器に３次巻線を加え、Δ結線とすることが多い。３次巻線を加える為、単巻変圧器は大形化し、鉄心や巻線が巨大となるため損失も増大する。実施例ではフィルタコンデンサをΔ結線とすることで、単巻変圧器に３次巻線がなくても、３次高調波成分を打ち消しあい回路を構成した。単巻変圧器の励磁電流より３次高調波が発生するが、フィルタコンデンサのΔ結線で打ち消しあい、３次高調波の影響をなくす。
【００３７】
図６に示すような通常のパワーコンディショナでは１００ｋＷにおける損失は
昇圧用変圧器３で２０００Ｗ程度、フィルタリアクトル４で１０００Ｗ程度となり、３％程度の損失となる。さらに直流の入力電圧範囲を拡大するため、変圧比を２００：１９０から２００：１５０へと変更した場合、定格電流は３０４Ａから３８５Ａとなり、約１．３倍となる。巻線の損失は電流の２乗に比例するので、損失は約1.7倍程度となる。
【００３８】
実施例２では昇圧用変圧器３を削除し、昇圧用変圧器３とフィルタリアクトル４を単巻変圧器８に変更している。その際、単巻変圧器８の漏れインダクタンスを増大させ、５％以上のインピーダンスを実現している。漏れインダクタンスを増大させることでフィルタリアクトルとしての機能を付与することができる。
【００３９】
実施例２では単巻変圧器の変圧比を２００：１５０とする。系統が２００Ｖでは、インバータの出力電圧は１５０Ｖとなる。その場合、運転可能な直流電圧は２５０Ｖ以上となり、パワーコンディショナの直流運転電圧範囲は２５０Ｖから６００Ｖとなる。
【００４０】
さらに損失が低減するということは発熱が低減することを意味する。発熱が低減するため、冷却ファンについても削減可能となる。
【００４１】
このような構成においても図１と同様の作用効果、すなわち単巻変圧器８でキャリア周波数の信号が重畳したアナログ信号を昇圧して電圧を大きくして、単巻変圧器８、フィルタコンデンサ６、及びフィルタリアクトル４で構成したフィルタ回路で高調波を除去する効果を得る。
（実施例３）
次に、本発明のパワーコンディショナの実施例３について、図５を用いて説明する。
図５は、図４の回路構成において、フィルタリアクトル４を削除した回路構成を示している。すなわち、太陽光パネル７の直流電圧をインバータ５により三相の交流電圧に変換し、変換した交流電圧を単巻変圧器８で昇圧し電圧を大きくして、単巻変圧器８に並列に接続されたフィルタコンデンサ６とによりフィルタ回路を構成し、キャリア周波数の高調波成分を除去し、電源系統１に接続する構成である。
【００４２】
単巻変圧器８は、漏れインダクタンスを１０％以上とし、フィルタコンデンサ６とフィルタ回路を構成し、高調波分をカットする。単巻変圧器は２００：１５０〜１３０とすることで、入力される直流電圧は２２０〜２６０程度まで対応可能となる。またフィルタコンデンサ６はΔ結線とする。単巻変圧器８はＹ結線となるため、励磁電流による３次高調波で中性点が変動し、不平衡電圧が生じ、上下アーム間の不平衡や三相交流電圧の不平衡を生じ、運転停止や機器破壊につながる可能性がある。そのため、一般的には単巻変圧器に３次巻線を加え、Δ結線とすることが多い。３次巻線を加える為、単巻変圧器は大形化し、鉄心や巻線が巨大となるため損失も増大する。実施例ではフィルタコンデンサをΔ結線とすることで、単巻変圧器に３次巻線がなくても、３次高調波成分を打ち消しあい回路を構成した。単巻変圧器の励磁電流より３次高調波が発生するが、フィルタコンデンサのΔ結線で打ち消しあい、３次高調波の影響をなくす。
【００４３】
図６に示すような通常のパワーコンディショナでは１００ｋＷにおける損失は
昇圧用変圧器３で２０００Ｗ程度、フィルタリアクトル４で１０００Ｗ程度となり、３％程度の損失となる。さらに直流の入力電圧範囲を拡大するため、変圧比を２００：１９０から２００：１５０へと変更した場合、定格電流は３０４Ａから３８５Ａとなり、約１．３倍となる。巻線の損失は電流の2乗に比例するので、損失は約1.7倍程度となる。
【００４４】
実施例３では昇圧用変圧器３を削除し、フィルタリアクトル４を単巻変圧器８へ変更している。その際、単巻変圧器８の漏れインダクタンスを増大させ、１０％以上のインピーダンスを実現している。漏れインダクタンスを増大させることでフィルタリアクトルとしての機能を付与することができる。
【００４５】
実施例３では単巻変圧器の変圧比を２００：１５０とする。系統が２００Ｖでは、インバータの出力電圧は１５０Ｖとなる。その場合、運転可能な直流電圧は２５０Ｖ以上となり、パワーコンディショナの直流運転電圧範囲は２５０Ｖから６００Ｖとなる。
【００４６】
さらに損失が低減するということは発熱が低減することを意味する。発熱が低減するため、冷却ファンについても削減可能となる。
【００４７】
以上より、実施例３では、直流電圧範囲が広く、高効率、小型ができるパワーコンディショナを製作可能となる。
【００４８】
図５のパワーコンディショナ２は、インバータ５と単巻変圧器８及びフィルタコンデンサ６で構成されるため、部品数が少なく、小型化、軽量化を実現できる。
【００４９】
本発明は三相について説明しているが、二相においても同様に適応できる。
【符号の説明】
【００５０】
１‥電源系統                  ２‥パワーコンディショナ
３‥昇圧用変圧器              ４‥フィルタリアクトル
５‥インバータ                ６‥フィルタコンデンサ
７‥太陽電池モジュール        ８‥単巻変圧器
９‥鉄心                    １０‥一次端子
１１‥二次端子              １２‥ギャップ
１３‥導体
【図１】
0005804963.tif 000002
【図２】
0005804963.tif 000003
【図３】
0005804963.tif 000004
【図４】
0005804963.tif 000005
【図５】
0005804963.tif 000006
【図６】
0005804963.tif 000007